(57)【要約】【課題】  保持物体を支持するための支持機構を備えるラックシステムを提供すること。【解決手段】  スライドレールアセンブリは保持物体に適用可能である。保持物体は第１の側及び第２の側を有し、前部及び後部を含む。スライドレールアセンブリは第１のレールと、ブラケットと、第２のレールと、支持部材とを含む。ブラケットは第１のレールに取り付けられる。第２のレールは第１のレールに対して可動である。第２のレールは保持物体の後部の第１の側に接続されるように構成されている。支持部材はブラケットに配置される。第２のレールが第１のレールに対して所定の位置に位置している場合、支持部材は保持物体の前部を支持するように構成されている。【選択図】  図１
2019051292.tif 000002
【特許請求の範囲】
【請求項１】
ラックと、
第１の側及び第２の側を有する保持物体であって、該保持物体は前部及び後部を含み、該保持物体の前部の第１の側及び後部の第１の側は実質的に同じ面にあり、該保持物体の前部の第２の側及び後部の第２の側は実質的に同じ面にあり、前記前部の内部には空間が形成され、前記前部の第１の側は前記空間と連通する開口を有する、保持物体と、
前記ラックの両側にそれぞれ配置される第１のスライドレールアセンブリ及び第２のスライドレールアセンブリであって、該第１のスライドレールアセンブリ及び該第２のスライドレールアセンブリのそれぞれは第１のレールと、該第１のレールに対して可動な第２のレールとを含み、該第１のレールはそれぞれブラケットを通じて前記ラックのポストに取り付けられ、該第１のスライドレールアセンブリの第２のレール及び該第２のスライドレールアセンブリの第２のレールは前記後部の第１の側及び第２の側にそれぞれ取り付けられる、第１のスライドレールアセンブリ及び第２のスライドレールアセンブリと、
前記ブラケット及び前記ポストの一方に接続される支持部材と、
を含むラックシステムであって、
前記第２のレールが前記第１のレールに対して所定の位置に位置している場合、前記支持部材は前記保持物体の前部を支持するように構成されている、ラックシステム。
【請求項２】
前記支持部材は支持部を含み、該支持部は前記ブラケット及び前記ポストの一方の高さ方向に対して横方向に配置され、
前記第２のレールが前記所定の位置に位置している場合、前記支持部は前記保持物体の前部の底部を支持するように構成されている、請求項１に記載のラックシステム。
【請求項３】
前記支持部材は接続部をさらに含み、前記接続部は前記支持部に対して実質的に垂直に屈曲され、前記支持部は前記接続部を通じて前記ブラケット及び前記ポストの一方に接続されている、請求項２に記載のラックシステム。
【請求項４】
第１のレールと、
前記第１のレールに取り付けられるブラケットであって、該ブラケットは側壁と、該側壁に隣接する少なくとも１つの取り付け部材とを含む、ブラケットと、
前記第１のレールに対して可動な第２のレールであって、該第２のレールは上壁と、下壁と、該上壁及び該下壁の間に接続される長手壁とを含む、第２のレールと、
前記ブラケットに配置される支持部材であって、該支持部材は前記ブラケットの側壁に対して突出する支持部を含む、支持部材と、
を含むスライドレールアセンブリであって、
前記第２のレールが前記第１のレールに対して引っ込め位置に位置している場合、前記第２のレールは前記支持部材の支持部を越えて伸長しない、スライドレールアセンブリ。
【請求項５】
前記支持部材は前記ブラケットに接続され、前記支持部材の支持部は前記ブラケットの側壁の高さ方向に対して横方向に配置される、請求項４に記載のスライドレールアセンブリ。
【請求項６】
前記支持部材は接続部をさらに含み、該接続部は前記支持部に対して実質的に垂直に屈曲され、前記支持部は前記接続部を通じて前記ブラケットに固定接続される、請求項４に記載のスライドレールアセンブリ。
【請求項７】
保持物体に適用可能なスライドレールアセンブリであって、該保持物体は第１の側及び第２の側を有し、該保持物体は前部及び後部を含み、該保持物体の前部の第１の側及び後部の第１の側は実質的に同じ面にあり、該前部の内部には空間が形成され、該前部の第１の側は前記空間と連通する開口を有し、当該スライドレールアセンブリは、
第１のレールと、
前記第１のレールに取り付けられるブラケットであって、該ブラケットは側壁と該側壁に隣接する少なくとも１つの取り付け部材とを含む、ブラケットと、
前記第１のレールに対して可動な第２のレールであって、該第２のレールは前記保持物体の後部の第１の側に接続されるように構成されている、第２のレールと、
前記ブラケットに配置される支持部材であって、該支持部材は支持部を含む、支持部材と、
を含み、
前記第２のレールが前記第１のレールに対して所定の位置に位置している場合、前記支持部材の支持部は前記保持物体の前部を支持するように構成されている、スライドレールアセンブリ。
【請求項８】
前記第２のレールが前記所定の位置に位置している場合、前記支持部は前記保持物体の前部の底部を支持するように構成され、前記支持部材は前記ブラケットに接続され、前記支持部材の支持部は前記ブラケットの側壁に対して突出し、前記第２のレールは前記第１のレールよりも短い、請求項７に記載のスライドレールアセンブリ。
【請求項９】
前記支持部材は接続部をさらに含み、該接続部は前記支持部に対して実質的に垂直に屈曲され、前記支持部は前記接続部を通じて前記ブラケットに固定接続されている、請求項７に記載のスライドレールアセンブリ。
【請求項１０】
前記第１のレールに対する前記第２のレールの移動距離を伸ばすために前記第１のレールと前記第２のレールとの間に可動に取り付けられる第３のレールをさらに含み、
前記第２のレールが前記第１のレールに対して前記所定の位置に位置している場合、前記保持物体の前部の第１の側と前記第１のレール及び前記第２のレールの一方との間に間隙が定義される、請求項７に記載のスライドレールアセンブリ。
【発明の詳細な説明】
【技術分野】
【０００１】
本発明はラックシステムのためのスライドレールアセンブリに関し、より具体的には保持物体を支持するための支持機構を備えるラックシステム又はスライドレールアセンブリに関する。
【背景技術】
【０００２】
一般に、ラックシステムにおいては、通常一対のスライドレールアセンブリを通じて（電子機器等の）保持物体がラックに取り付けられる。各スライドレールアセンブリは、電子機器をラックの外に出すか又はラック内に押し込むことができるようにラックに固定される固定レールと、固定レールに対して可動な可動レールとを一般的に含む。
【発明の概要】
【発明が解決しようとする課題】
【０００３】
しかしながら、保持物体の特定の取り付け空間又は構造（若しくは形状）の場合、可動レールは保持物体の特定の部分にしか接続又は取り付けすることができない。したがって、保持物体に対するスライドレールアセンブリの支持の信頼性を改善することが重要である。
【０００４】
本発明は保持物体を支持するための支持機構を備えるラックシステム又はスライドレールアセンブリに関する。
【課題を解決するための手段】
【０００５】
本発明の一実施形態によれば、ラックシステムはラックと、保持物体と、第１のスライドレールアセンブリと、第２のスライドレールアセンブリと、支持部材とを含む。保持物体は第１の側及び第２の側を有する。保持物体は前部及び後部を含む。保持物体の前部の第１の側及び後部の第１の側は実質的に同じ面にあり、保持物体の前部の第２の側及び後部の第２の側は実質的に同じ面にある。前部の内部には空間が形成され、前部の第１の側は前記空間と連通する開口を有する。第１のスライドレールアセンブリ及び第２のスライドレールアセンブリはラックの両側（two  opposite  sides）にそれぞれ配置される。各スライドレールアセンブリは第１のレールと、第１のレールに対して可動な第２のレールとを含む。スライドレールアセンブリの第１のレールのそれぞれはブラケットを通じてラックのポストに取り付けられ、第１のスライドレールアセンブリの第２のレール及び第２のスライドレールアセンブリの第２のレールは後部の第１の側及び第２の側にそれぞれ取り付けられる。支持部材はブラケット及びポストの一方に接続される。第２のレールが第１のレールに対して所定の位置に位置している場合、支持部材は保持物体の前部を支持するように構成されている。
【０００６】
本発明の別の実施形態によれば、スライドレールアセンブリは第１のレールと、ブラケットと、第２のレールと、支持部材とを含む。ブラケットは第１のレールに取り付けられる。ブラケットは側壁と、側壁に隣接する少なくとも１つの取り付け部材とを含む。第２のレールは第１のレールに対して可動である。第２のレールは上壁と、下壁と、該上壁及び該下壁の間に接続される長手壁とを含む。支持部材はブラケットに配置される。支持部材はブラケットの側壁に対して突出する支持部を含む。第２のレールが第１のレールに対して引っ込め位置に位置している場合、第２のレールは支持部材の支持部を越えて伸長しない。
【０００７】
本発明の別の実施形態によれば、スライドレールアセンブリは保持物体に適用可能である。保持物体は第１の側及び第２の側を有する。保持物体は前部及び後部を含む。保持物体の前部の第１の側及び後部の第１の側は実質的に同じ面にある。前部の内部には空間が形成され、前部の第１の側は前記空間と連通する開口を有する。スライドレールアセンブリは第１のレールと、ブラケットと、第２のレールと、支持部材とを含む。ブラケットは第１のレールに取り付けられる。ブラケットは側壁と該側壁に隣接する少なくとも１つの取り付け部材とを含む。第２のレールは第１のレールに対して可動である。第２のレールは保持物体の後部の第１の側に接続されるように構成されている。支持部材はブラケットに配置される。支持部材は支持部を含む。第２のレールが第１のレールに対して所定の位置に位置している場合、支持部材の支持部は保持物体の前部を支持するように構成されている。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、一対のスライドレールアセンブリを通じて保持物体がラック内に引っ込められている本発明の第１の実施形態のラックシステムを示す図である。
【図２】図２は、図１の領域Ａの拡大図である。
【図３】図３は、本発明の第１の実施形態に係る、ラックのポストに取り付けられたスライドレールアセンブリを示す図である。
【図４】図４は、本発明の第１の実施形態に係る、スライドレールアセンブリ及び保持物体の分解図である。
【図５】図５は、一対のスライドレールアセンブリを通じて保持物体が所定の方向に沿ってラックの外に動かされている本発明の第１の実施形態のラックシステムを示す図である。
【図６】図６は、図５の領域Ａの拡大図である。
【図７】図７は、本発明の第１の実施形態に係る、一対のスライドレールアセンブリを通じて所定の位置に位置する保持物体を示す図である。
【図８】図８は、本発明の第１の実施形態に係る、一対のスライドレールアセンブリを通じて別の位置に位置する保持物体を示す図である。
【図９】図９は、本発明の第２の実施形態に係るラックシステムを示す図である。
【図１０】図１０は、図９の領域Ａの拡大図である。
【発明を実施するための形態】
【００１０】
図１に示すように、本発明の第１の実施形態のラックシステム２０はラック２２、保持物体２４、第１のスライドレールアセンブリ２６、第２のスライドレールアセンブリ２８及び少なくとも１つの支持部材３０を含む。
【００１１】
ラック２２は一対の第１のポスト２２ａ及び一対の第２のポスト２２ｂを含む。本実施形態では、一対の第１のポスト２２ａ及び一対の第２のポスト２２ｂは対応して配置され且つ互いに離間されている。
【００１２】
保持物体２４は電子機器のシャーシであり得るが、本発明は係る構成に限定されない。具体的には、保持物体２４は第１の側Ｓ１及び第２の側Ｓ２を有し、保持物体２４は前部３２及び後部３４を含む。保持物体２４の前部３２及び後部３４は立方体状の物体を形成することが好ましい。保持物体２４の前部３２はハードディスク等の電子部品を収容するための空間３３が形成される。保持物体２４の前部３２は底壁３２ａを含む。保持物体２４の前部３２は上壁３２ｂ、後壁３２ｃ及び前壁３２ｄをさらに含むことが好ましい。壁３２ａ、３２ｂ、３２ｃ、３２ｄは互いに接続されて空間３３を定義する。
【００１３】
第１のスライドレールアセンブリ２６及び第２のスライドレールアセンブリ２８はラック２２の両側に配置される。第２のスライドレールアセンブリ２８の構造上の構成は第１のスライドレールアセンブリ２６と実質的に同じである。簡略化のために、第１のスライドレールアセンブリ２６のみ説明する。
【００１４】
第１のスライドレールアセンブリ２６は第１のレール３６と、第１のレール３６に対して可動な第２のレール３８とを含む。第１のレール３６はブラケット４０を通じてラック２２の第１のポスト２２ａに取り付けられ、調節可能なブラケット４２を通じてラック２２の第２のポスト２２ｂに取り付けられている。第１のスライドレールアセンブリ２６の第１のレール３６及び第２のスライドレールアセンブリ２８の第１のレール３６はブラケット４０を通じてラック２２の対応する第１のポスト２２ａにそれぞれ取り付けられる。他方、第１のスライドレールアセンブリ２６の第２のレール３８及び第２のスライドレールアセンブリ２８の第２のレール３８は保持物体２４の後部３４の第１の側Ｓ１及び第２の側Ｓ２にそれぞれ接続される。
【００１５】
図２に示すように、支持部材３０はブラケット４０に接続される。ブラケット４０は側壁４４と、側壁４４に隣接する少なくとも１つの取り付け部材４６とを含む。少なくとも１つの取り付け部材４６は第１のポスト２２ａの孔Ｈ内に挿入されるように構成されている。第２のレール３８が第１のレール３６に対して所定の位置（例えば引っ込め位置Ｌ１）に位置している場合、支持部材３０の支持部４８は保持物体２４の前部３２を支持するように構成されている。支持部４８は保持物体２４の前部３２の底部を支持するように構成されていることが好ましい。第２のレール３８が第１のレール３６に対して引っ込め位置Ｌ１に位置している場合、第２のレール３８の一端（例えば前端３８ａ）は支持部材３０の支持部４８を越えて伸長していない。
【００１６】
図３及び図４に示すように、第１のスライドレールアセンブリ２６は第３のレール５０をさらに含むことが好ましい。第３のレール５０は、第１のレール３６に対する第２のレール３８の移動距離を伸ばすために第１のレール３６及び第２のレール３８の間に可動に取り付けられる。第１のレール３６は前端３６ａ及び後端３６ｂを有する。前端３６ａと後端３６ｂとの間に通路３７が配置される。
【００１７】
ブラケット４０は第１のレール３６に取り付けられる。ブラケット４０は第１のレール３６に接続され、第１のレール３６の前端３６ａに隣接していることが好ましい。
【００１８】
支持部材３０はブラケット４０に、例えばブラケット４０の側壁４４に配置される。支持部材３０の支持部４８はブラケット４０の側壁４４に対して突出している。即ち、支持部４８は、ブラケット４０の側壁４４の高さ方向Ｖ（図３に示す二重矢印）に対して横方向に（又は水平方向に）配置される。
【００１９】
支持部材３０は、支持部４８に対して実質的に垂直に屈曲された接続部５２をさらに含むことが好ましい。支持部４８は接続部５２を通じてブラケット４０に接続されている。接続部５２は、リベット留め、ネジ留め、係合又は溶接によりブラケット４０の側壁４４に固定接続できることが好ましい。あるいは、別の実施形態では、ブラケット４０の側壁４４は支持部と４８と一体形成することができる。本発明は係る構成に限定されない。
【００２０】
第３のレール５０は第１のレール３６の通路３７内に可動に取り付けられる。同様に、第２のレール３８は第３のレール５０の通路３９内に可動に取り付けられる。第２のレール３８は上壁５４ａと、下壁５４ｂと、上壁５４ａ及び下壁５４ｂの間に接続される長手壁５６とを含む。第１のスライドレールアセンブリ２６の第１のレール３６は保持物体２４の後部３４の第１の側Ｓ１で壁５８に接続されている。第２のスライドレールアセンブリ２８の第２のレール３８は保持物体２４の後部３４の第２の側Ｓ２で壁５８に接続されている（図７も参照されたい）。例えば、第２のレール３８の長手壁５６は保持物体２４の壁５８に複数の接続部材５９ｂを取り付けるために複数の取り付け部５９ａを有する。保持物体２４の前部３２の第１の側Ｓ１は空間３３と連通する開口６０を有する。ユーザーは、保持物体２４の空間３３内のハードディスク等の関連する電子部品を便利に交換又はメンテナンスできる。
【００２１】
図５に示すように、第２のレール３８及び第３のレール５０は第１のレール３６に対して方向Ｄに沿って動かすことができる。第２のレール３８が第１のレール３６に対して伸長位置Ｌ２に動かされた場合、第２のレール３８のレール区画Ｘは支持部材３０の支持部４８を越えて伸長する。図６に示すように、第２のレール３８が伸長位置Ｌ２に位置している場合、第２のレール３８の残りのレール区画は支持部材３０の支持部４８の上に位置する。
【００２２】
図７に示すように、第１のスライドレールアセンブリ２６の第２のレール３８（及び第２のスライドレールアセンブリ２８の第２のレール３８）は第１のレール３６に対して所定の位置（例えば引っ込め位置Ｌ１）に位置している。保持物体２４の前部３２の第１の側Ｓ１及び後部３４の第１の側Ｓ１は実質的に同じ面Ｐ１にあり、保持物体２４の前部３２の第２の側Ｓ２及び後部３４の第２の側Ｓ２は実質的に同じ面Ｐ２にある。面Ｐ１、Ｐ２は実質的に互いに平行である。保持物体２４の前部３２の第１の側Ｓ１及び／又は第２の側Ｓ２は開口６０を有するため、第２のレール３８は保持物体２４の前部３２の第１の側Ｓ１及び第２の側Ｓ２に接続できない。即ち、そのような状況では、第２のレール３８は、第１のスライドレールアセンブリ２６及び第２のスライドレールアセンブリ２８の第２のレール３８は保持物体２４の後部３４の第１の側Ｓ１及び第２の側Ｓ２の壁５８のそれぞれのみに接続されるように第１のレール３６及び／又は第３のレール５０よりも短くなるように構成しなければならない。支持部材３０の支持部４８は、保持物体２４の前部３２が重量超過に起因して落下するのを防止するために保持物体２４の前部３２の底部を支持するように構成されている。
【００２３】
加えて、第２のレール３８が第１のレール３６に対して所定の位置に位置している場合、保持物体２４の前部３２の第１の側Ｓ１と、第１のレール３６及び第３のレール５０の一方との間に間隔Ｇが定義される。本実施形態では、間隙Ｇは保持物体２４の前部３２の第１の側Ｓ１と第３のレール５０との間で定義される。前部３２の空間３３内の電子部品に電力が供給されると、電子部品は開口６０及び間隙Ｇを通じて放熱できるために放熱効果が得られる。
【００２４】
図８に示すように、保持物体２４は第２のレール３８と共に第１のレール３６に対して方向Ｄに沿って伸長位置Ｌ２に動かすことができる。ユーザーは、開口６０を通じて保持物体２４の前部３２の空間３３から電子部品を取り出すか又は開口６０を通じて前部３２の空間３３内に電子機器を設置できる。そのような構成は電子部品のメンテナンス作業を容易にする。
【００２５】
図９及び図１０に示すように、ブラケット４０に接続される第１の実施形態の支持部材３０とは異なり、第２の実施形態の支持部材２００はラック２２の第１のポスト２２ａに接続される。
【００２６】
具体的には、支持部材２００の接続部２０２は支持部２０４に対して実質的に垂直に屈曲されている。接続部２０２はリベット留め、ネジ留め、係合又は溶接により第１のポスト２２ａに固定接続できる。本実施形態では、接続部２０２はネジ留めにより第１のポスト２２ａに固定接続される。支持部材２００の支持部２０４は第１のポスト２２ａの高さ方向Ｖに対して横方向に（又は水平方向に）配置されている。そのため、第２のレール３８が第１のレール３６に対して所定の位置に位置している場合、支持部材２００の支持部２０４は保持物体２４も支持することができる。
【００２７】
したがって、本発明のラックシステム及び／又はスライドレールアセンブリは下記のように特徴付けることができる。
【００２８】
１）スライドレールアセンブリの第２のレールが保持物体の後部にしか接続できない状況では、重量超過により保持物体が傾斜するか又は落下するのを防止するために支持部材を用いて保持物体の前部を支持できる。支持部材はブラケット又はポストに接続できる。
【００２９】
２）保持物体の前部は関連部品（電子部品等）を収容するための空間を有し、前部の第１の側及び第２の側の少なくとも一方は前記空間と連通する開口を有する。そのため、現場にいる人が保持物体の前部内の電子部品のメンテナンス作業を便利に行うことができる。
【００３０】
３）第２のレールが第１のレールに対して所定の位置に位置している場合、保持物体の前部内の電子部品の放熱を促進するために保持物体の前部の第１の側と第１のレール（又は第３のレール）との間に間隙が定義される。
【００３１】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００３２】
２０  ラックシステム
２２  ラック
２４  保持物体
２６  第１のスライドレールアセンブリ
２８  第２のスライドレールアセンブリ
３０、２００  支持部材
３２  前部
３４  後部
３６  第１のレール
３８  第２のレール
４０  ブラケット
４２  調節可能なブラケット
４４  側壁
４６  取り付け部材
４８、２０４  支持部
５０  第３のレール
５２、２０２  接続部
５４  壁
５６  長手壁
５８  壁
６０  開口
【図１】
2019051292.tif 000003
【図２】
2019051292.tif 000004
【図３】
2019051292.tif 000005
【図４】
2019051292.tif 000006
【図５】
2019051292.tif 000007
【図６】
2019051292.tif 000008
【図７】
2019051292.tif 000009
【図８】
2019051292.tif 000010
【図９】
2019051292.tif 000011
【図１０】
2019051292.tif 000012